(57)【特許請求の範囲】
【請求項１】
公衆無線ネットワークへのアクセスを許可する方法であって、
ネットワークの加入者が、加入者識別モジュールなしでネットワーク内で動作するように構成され、事前定義された電話番号に発呼する手段を含む、簡単化された移動電話機に固有のシリアル番号を表すデータと、前記事前定義された電話番号に固有のデータとを、ネットワークに供給し、当該データの全てが、ネットワーク内に記憶されるサービス初期化段階と、
前記簡単化された移動電話機が、前記ネットワークにログオンし、サービスに接続するために、シリアル番号を表すデータとサービス番号を表す第１のコードとを無線でネットワークに自動的に送信し、ネットワークが、サービスに接続し、シリアル番号を表す受信データを、記憶されたシリアル番号を表すデータと比較し、一致すれば、ログオンを許可し、簡単化された移動電話機に許可コードを無線で送信し、前記許可コードが、さらにネットワーク内に記憶される段階と、
前記簡単化された移動電話機が、発信呼の発呼のために使用され、事前定義された電話番号に発呼する手段の起動によって、前記サービスに接続するためのサービス番号を表す第１のコードと、前記許可コードと、被呼者番号を表す第２のコードとが、ネットワークに無線で送信され、ネットワークが、サービスに接続して、受信した許可コードおよび第２のコードを、ネットワーク内に記憶されたデータおよび許可コードと比較し、一致すれば、呼を許可する段階とを含む方法。
【請求項２】
ログオン段階中にネットワークから簡単化された移動電話機に送信される許可コードが、シリアル番号を表すデータに対応する請求項１に記載の方法。
【請求項３】
ログオン段階中にネットワークから簡単化された移動電話機に送信される許可コードが、簡単化された移動電話機内に記憶されている一時的コードに対応する請求項１に記載の方法。
【請求項４】
一時的コードが、加入者の識別子に対応する請求項３に記載の方法。
【請求項５】
一時的コードが、どの加入者にも対応しないコードの所定のリストからランダムに選択される請求項３に記載の方法。
【請求項６】
前記加入者の口座に課金情報を送信する段階を含む請求項１に記載の方法。
【請求項７】
前記サービス初期化段階が、前記加入者に関連付けられた識別モジュールを有する標準の移動電話機からネットワークに無線でデータを供給するステップからなる請求項１に記載の方法。
【請求項８】
標準の移動電話機の入力手段を用いて実行される、
前記サービスに接続するために、サービス番号を表す番号を入力するステップと、
パスワードを入力するステップと、
簡単化された移動電話機に固有のシリアル番号を表すデータを入力するステップと、
事前定義された電話番号を入力するステップとを含む請求項７に記載の方法。
【請求項９】
ネットワークを用いて、前記簡単化された移動電話機の位置に関する情報を記憶する段階をさらに含む請求項１に記載の方法。
【請求項１０】
簡単化された移動電話機を用いて、着信呼を受信するステップをさらに含み、
当該ステップ中に、ネットワークが、前記簡単化された移動電話機に固有の識別子を含む無線信号を、呼シグナリングチャネル上で前記簡単化された移動電話機に送信する請求項９に記載の方法。
【請求項１１】
前記識別子が、各々が簡単化された移動電話機に固有のシーケンスで事前定義されたコードを搬送するｍ個の連続するメッセージからなる請求項１０に記載の方法。
【請求項１２】
前記シーケンスが、ｎ個のコードからなる所定のリストから選択されたｍ個のコードからなる請求項１１に記載の方法。
【請求項１３】
前記識別子が、事前定義されたコードと簡単化された移動電話機に固有のシリアル番号を表すデータの組合せからなり、呼シグナリングチャネル上で単一のメッセージによって搬送される請求項１０に記載の方法。
【請求項１４】
前記識別子が、簡単化された移動電話機に固有のシリアル番号を表すデータであり、呼信号チャネル上で単一のメッセージによって搬送される請求項１０に記載の方法。
【請求項１５】
公衆移動無線ネットワークを含む移動無線システムであって、
加入者識別モジュールなしでネットワーク内で動作するように構成され、事前定義された電話番号に発呼する手段を含む、簡単化された移動電話機と、
前記ネットワークの加入者が、前記簡単化された移動電話機に固有のシリアル番号を表すデータと、前記事前定義された電話番号に固有のデータとを、ネットワークに供給し、前記データの全てが、ネットワーク内に記憶されるサービス初期化手段と、
シリアル番号を表すデータとサービスに接続するためのサービス番号を表す第１のコードとを、ネットワークに無線で送信する、前記簡単化された移動電話機に固有の自動送信手段と、
サービスへの接続後に、シリアル番号を表す受信データを、記憶されたシリアル番号を表すデータと比較し、一致すれば、簡単化された移動電話機がネットワークにログオンすることを許可し、前記簡単化された移動電話機に許可コードを送信し、許可コードをネットワーク内に記憶する、ネットワークに固有の第１の手段と、
前記事前定義された電話番号に発呼する手段の起動に続けて、前記サービスに接続するためのサービス番号を表す第１のコードと、許可コードと、被呼者番号を表す第２のコードとを、ネットワークに無線で送信する、前記簡単化された移動電話機に固有の送信手段と、
サービスへの接続後に、受信した許可コードおよび第２のコードを、ネットワーク内に記憶されたデータおよび許可コードと比較し、一致していれば、呼を許可する、ネットワークに固有の第２の手段とを含む移動無線システム。
【請求項１６】
加入者識別モジュールなしでセルラ移動無線ネットワーク内で動作するように構成され、セルラ移動無線ネットワークにログオンし、前記セルラ移動無線ネットワーク内で発呼する無線信号送信手段と、事前定義された電話番号を入力する手段とを含む、簡単化された移動電話機であって、
該移動電話機が、固有のシリアル番号を有し、
ログオン中に、前記無線信号送信手段が、前記シリアル番号を表すデータとサービス番号を表す第１のコードとを含む無線信号を送信し、
該移動電話機が、ログオン後に、ネットワークから送信される許可コードを記憶する手段をさらに含み、
前記事前定義された電話番号への発呼中に、前記無線信号送信手段が、第１のコードと、許可コードと、事前定義された電話番号を表す第２のコードとを含む無線信号を送信する簡単化された移動電話機。
【発明の詳細な説明】
【０００１】
【発明の属する技術分野】
本発明は、簡単化された移動電話機、特に加入者識別モジュールを受け入れるように構成された読取り装置を含まないという点で簡単化された移動電話機からセルラ移動無線ネットワークへのアクセスを許可する方法と当該方法を実施する移動無線システムおよび簡単化された電話機に関する。
【０００２】
【従来の技術】
現在、移動電話機は、ネットワーク運用業者またはネットワーク供給業者によって供給される、ユーザに関する情報を含む加入者識別モジュールを備えた場合に限って、特定のセルラネットワーク内で使用できる。汎欧州ＧＳＭネットワークの制約のない場合には、加入者識別子モジュール（ＳＩＭ）は、ＩＳＯ標準に準拠したスマートカードまたは移動電話機の読取り装置に挿入されるマイクロカードの形式をとる。移動電話機は、ＳＩＭカード内に記憶されたデータを用いて、ネットワークに自らを識別させることができる。ネットワークが、「ログオン」と呼ばれる段階の最後に、カード内に記憶されたデータを認識すると、ユーザは、ネットワークを使用することを許可され、特に発信呼を発呼することを許可され、ネットワークを介してルーティングされた呼を受信することができる。
【０００３】
ＳＩＭカード、またはより一般的には加入者識別モジュールの利点は、それによって、モジュールの所有者が、モジュールを受け入れるように構成された任意の移動端末からネットワークにアクセスできるという点である。
【０００４】
ただし、任意の人物が、加入者の認証なしに移動電話機を使用することを防止するために、特定の認証手順に従って、ＳＩＭカードを備えた移動電話機の電源が入った時に、ユーザはカード内に記憶された特定のコード（ＰＩＮ）を入力しなければならない。言い換えれば、ユーザが誤ったコードを入力すると、移動電話機はセルラネットワークにログオンできない。
【０００５】
移動電話機を持っている個人の数は、最近大幅に増加している。ただし、これらの大半は、所定の年齢範囲内の人物である。にもかかわらず、誰かに連絡することができる、またはいつでも連絡可能であるということの利益は、年齢に関わらず、特に若い子供たちが利用できるものでなければならない。
【０００６】
ただし、このような情況において、既存の移動電話機は以下の欠点を有する。
−  移動電話機を初めて使用する前に、ＳＩＭカードをインストールすることは、特にマイクロＳＩＭカードの場合には困難である。
−  前述の認証手順は、若い子供たちなどの一部のユーザには複雑な場合がある。この手順を非活動化することはもちろん可能であるが、そうするとセキュリティの利点が失われる。
−  明らかなコスト上の理由から、子供がかける呼を制御でき、移動電話機からいくつの電話番号にかけられるかを制限できることも必要である。運用業者によっては、限定された数のエントリを有するディレクトリを含むカードを提供することでこれを可能にする。その結果、子供たちは、限定された番号の組にしか発信呼を発呼することが出来ない。
−  最後に、現在利用可能な移動電話機の操作が複雑であるという事実とは別に、それらの移動電話機は、ユーザが購入するには高価である。したがって、親がその子供たちの各々のために携帯電話機に投資することは明らかに困難である。
【０００７】
【発明が解決しようとする課題】
本発明の目的は、簡単化された移動電話機、特に加入者識別モジュールを含まないという点で簡単化された移動電話機から、セルラ移動無線ネットワークへのアクセスを許可する方法を提案することで、上記の問題を解決することである。
【０００８】
【課題を解決するための手段】
このために、本発明は、以下の段階を含む公衆無線ネットワークへのアクセスを許可する方法を提供する。
−  ネットワークの加入者が、加入者識別モジュールなしでネットワーク内で動作するように構成され、事前定義された電話番号に発呼する手段を含む簡単化された移動電話機に固有のシリアル番号を表すデータと、前記事前定義された電話番号に固有のデータとを、ネットワークに供給し、このデータがすべてネットワーク内に記憶されるサービス初期化段階と、
−  前記簡単化された移動電話機が、前記ネットワークにログオンし、前記サービスに接続するために、シリアル番号を表すデータとサービス番号を表す第１のコードを無線でネットワークに自動的に送信し、ネットワークが、サービスに接続し、次いでシリアル番号を表すデータを、記憶されたシリアル番号を表すデータと比較し、一致すればログオンを許可し、簡単化された移動電話機に許可コードを無線で送信し、前記許可コードがネットワーク内に記憶される段階と、
−  前記簡単化された移動電話機が、発信呼の発呼のために使用され、前記事前定義された電話番号に発呼する手段の起動によって、前記サービスに接続するためのサービス番号を表す第１のコードと、前記許可コードと、被呼者番号を表す第２のコードが、ネットワークに無線で送信され、ネットワークが、サービスに接続して、受信した許可コードおよび第２のコードをネットワーク内に記憶されたデータおよび許可コードと比較し、一致すれば呼を許可する段階。
【０００９】
本発明はまた、以下を含む公衆移動無線ネットワークを含む移動無線システムを提供する。
−  加入者識別モジュールなしでネットワーク内で動作するように構成され、事前定義された電話番号に発呼する手段を含む簡単化された移動電話機と、
−  前記ネットワークの加入者が、前記簡単化された移動電話機に固有のシリアル番号を表すデータと、前記事前定義された電話番号に固有のデータとを、ネットワークに供給し、前記データが、すべてネットワーク内に記憶されるサービス初期化手段と、
−  シリアル番号を表すデータと前記サービスに接続するためのサービス番号を表す第１のコードとを、無線でネットワークに送信する前記簡単化された移動電話機に固有の自動送信手段と、
−  サービスへの接続後に、シリアル番号を表す受信データを、記憶されたシリアル番号を表すデータと比較し、一致すれば簡単化された移動電話機がネットワークにログオンすることを許可し、前記簡単化された移動電話機に許可コードを送信し、許可コードをネットワーク内に記憶する、ネットワークに固有の第１の手段と、
−  前記事前定義された電話番号に発呼する手段の起動に続けて、前記サービスに接続するためのサービス番号を表す第１のコードと、許可コードと、被呼者番号を表す第２のコードとを、ネットワークに無線で送信する前記簡単化された移動電話機に固有の送信手段と、
−  サービスへの接続後に、受信した許可コードおよび第２のコードを、ネットワーク内に記憶されたデータおよび許可コードと比較し、一致していれば呼を許可するネットワークに固有の第２の手段。
【００１０】
第３に、本発明は、セルラ移動無線ネットワークにおいて、ログオンし発呼する無線信号送信手段と、事前定義された電話番号を入力する手段とを含む簡単化された移動電話機を提供する。該移動電話機は、固有のシリアル番号を有し、ログオン中に、前記送信手段が、前記シリアル番号を表すデータとサービス番号を表す第１のコードとを含む無線信号を送信し、該移動電話機は、ログオン後に、ネットワークから送信される許可コードを記憶する手段をさらに含み、前記事前定義された電話番号への発呼中に、前記送信手段が、第１のコードと、許可コードと、事前定義された電話番号を表す第２のコードとを含む無線信号を送信する。
【００１１】
本発明およびその利点は、添付図面を参照する以下の説明を読むことで、よりよく理解できよう。
【００１２】
【発明の実施の形態】
図１を参照すると、本発明による移動無線システムは、セルラネットワーク１、例えばＧＳＭネットワークと、セルラネットワーク１に接続された、またはセルラネットワーク１内に含まれるサーバ２と、加入することを条件としているセルラネットワーク内で動作するように構成された標準の移動電話機３と、簡単化された移動電話機４とを含む。
【００１３】
「簡単化された移動電話機」という表現は、加入者固有の識別モジュール３０を挿入できるカード読取り装置（図示せず）を含む標準の移動電話機３とは異なり、加入者識別モジュールなしでセルラネットワーク１内で動作するように構成された移動電話機を指す。以後、加入者およびその識別モジュール３０は、同じものを指すものとする。移動電話機４が動作するのに必要なすべての無線パラメータは、移動電話機に固有のメモリ内に記憶されている。
【００１４】
また、移動電話機４は、限定された電話番号の組、例えば図１では３つの番号の組にのみ発呼することができるという点で、簡単化されている。したがって、電話機４のキーパッドは、少なくとも発呼対象の番号の数に対応するキー４０の数まで低減できる。
【００１５】
簡単化された移動電話機４は、さらに、
−  特にアンテナ４１を含む無線信号の送信手段と、
−  マイクロホン４２とイヤホン４４とをさらに含む。
【００１６】
本発明を実施するのに必要ではないが、簡単化された移動電話機４はディスプレイ画面４３を含むこともできる。
【００１７】
本発明によれば、簡単化された移動電話機４は、特定のサービス初期化段階を実行する標準の移動電話機３の加入者３０によってネットワーク１にアクセスできるようになる。このサービス初期化段階の間に、該加入者は、簡単化された移動電話機４に固有のシリアル番号を表すデータ、例えば、移動電話機のＩＭＥＩ（国際移動局装置識別）番号と、簡単化された移動電話機４から発呼できる各電話番号に固有のデータとを、ネットワーク１に供給する。このデータは、サーバ２のデータベース内の、簡単化された移動電話機４に関連付けられた私設ディレクトリ内に記憶される。
【００１８】
図２は、すでに述べた初期化段階のステップを示す図である。これらのステップは、２つの段階にグループ化される。第１の段階は「サービスへの接続段階」と呼ばれ、第２の段階は「私設ディレクトリの更新段階」と呼ばれる。
【００１９】
標準の移動電話機３を用いてサービスに接続するには、加入者３０は、まずサーバ２に関連付けられたサービス番号を表す番号を入力しなければならない（ステップ５０）。次いで、セキュリティの理由から、加入者は、好ましくはパスワードを入力しなければならない（ステップ５１）。パスワードが正確な場合、加入者３０は、簡単化された移動電話機４のシリアル番号を表すデータ（ＩＭＥＩ）を入力するように促される（ステップ５２）。このデータは、ネットワークに無線で送信され、サーバ２のデータベース内に記憶される（ステップ５３）。次いで、加入者３０は、簡単化された移動電話機４から発呼ができる各電話番号Ｊに固有のデータを入力するように促される（ステップ５４）。図１の例では、加入者３０は、所与の電話番号を簡単化された移動電話機４の３つのキー４０の各々に関連付けることができる。このデータもサーバ２のデータベース内に記憶される（ステップ５５）。ステップ５２〜５５は、加入者３０が発呼できる新しい番号を入力しようと思う回数だけ繰り返すことができる（ステップ５６）。簡単化された移動電話機４に関係する私設ディレクトリの更新プロセスの最後に、好ましくは検証ステップ（ステップ５７）があり、このステップ中に、加入者は、送信済みのすべてのデータの正確性を検査できる。次いで、加入者が、別の簡単化された移動電話機を初期化して、その簡単化された移動電話機に関連付けられた私設ディレクトリを作成または更新しようとする場合、ステップ５２〜５７が繰り返される（ステップ５８）。
【００２０】
加入者３０がその移動電話機４以外の通信装置から、例えば、ＰＳＴＮに接続された電話機から、またはインターネットを介して初期化段階を実行できるのは勿論である。
【００２１】
初期化段階が完了すると、簡単化された移動電話機４は、ネットワーク１にアクセスできる。移動電話機４の電源が入ると、移動電話機４は、標準の移動電話機と同様にまずネットワーク１にログオンする。ただし、移動電話機４が使用するプロセスは、ＧＳＭ勧告に規定された標準の移動電話機のログオンのプロセスとは異なる。これは、移動電話機４が加入者識別モジュールを有しないためである。本発明によるログオン段階について、以下に図３を参照しながら説明する。
【００２２】
ログオン段階中に、簡単化された移動電話機４は、そのシリアル番号を表すデータ（ＩＭＥＩ）とサービスを表すコードＳとをネットワークに無線で送信し、サーバ２への接続を可能にする（ステップ６０）。サーバ２に接続した後で、ネットワーク１は、サーバ２のデータベース内で、受信したデータ（ＩＭＥＩ）が私設ディレクトリ内に記憶されているデータに、または、すべての運用業者にサービスが一般化されている場合は公共ディレクトリ内に記憶されているデータに対応するか否かを検査し検査する（ステップ６１）。一致しない場合、ネットワークへのログオンは拒否される（ステップ６３）。一致する場合、ネットワークへのログオンは許可され、ネットワーク１は、ネットワーク内及び簡単化された移動電話機４の記憶手段（図示せず）内に記憶されている許可コードＡを、簡単化された移動電話機４に送信する（ステップ６２）。第１の実施形態では、許可コードＡは、ＩＭＥＩに正確に対応する。許可コードは、代わりに、ネットワークによって生成されネットワーク１のいかなる加入者にも対応しないコードのリストからランダムに選択された、または加入者３０の識別子に対応する、一時的なコードであってもよい。
【００２３】
先行するプロセス中、移動電話機４のネットワークへのログオン要求に続くネットワーク１内のルーティングは、以下の通りである。ネットワーク１の移動電話機４が位置するセル内の基地局１０は、移動局制御装置１１に、移動電話機４から送信されたデータ（ＩＭＥＩ）を含むログオン要求を送信する。次いで、制御装置は、この要求を移動体交換局（ＭＳＣ）１２に転送する。普通の状況では、ＭＳＣは、要求をホームロケーションレジスタ（ＨＬＲ）１３またはビジタロケーションレジスタ（ＶＬＲ）１４に転送するが、ＭＳＣは、サーバ２を呼び出す。ＭＳＣは、サーバ２のデータベースを検査して、受信したＩＭＥＩに関連付けられたディレクトリが存在するか否か確認する。適宜、移動電話機４に許可コードＡを送信するために、逆ルーティングが使用される。
【００２４】
ただし、本発明の範囲を逸脱しないネットワーク１内のその他のルーティングも構想できる。特に、普通、移動電話機３などの標準の移動電話機によって使用されるネットワークへのログオンのためのルーティングが使用でき、この場合に制御装置１２は、ホームロケーションレジスタ１３および可能であればビジタロケーションレジスタ１４内で、受信されたＩＭＥＩに関係するディレクトリを検索する。これは、レジスタ１３および１４が、両方共、サーバ２によって事前に更新されていることを前提とする。
【００２５】
このログオンプロセスによって、ネットワークは、簡単化された移動電話機４がネットワークを使用している時に、簡単化された移動電話機４の位置を記憶できるが、これは、サーバ１２が、移動電話機４がログオン時に位置していたセルを記憶しているか、例えばＧＳＭネットワーク内で規定されているように、レジスタ１３または１４が、その情報を記憶しているためであることに留意する。
【００２６】
簡単化された移動電話機４がネットワーク内でセルを変更するたびに、データは、サーバ１２、あるいはレジスタ１３または１４内で更新される。更新は、呼の継続中または待機モードで（例えば、ＧＳＭ勧告に規定された位置更新手順を用いて）実行される。この更新機構は、サービスへのログオン手順に関して説明された、または簡単化された移動電話機の電源が切られた後で動作可能な、情報のルーティングと同じルーティングを使用する。
【００２７】
移動電話機４がネットワーク１から許可コードＡを受信すると、いつでも発呼できる。図４に関して説明する発信呼のために、移動電話機４を使用する段階は、サービスへの接続のステップと、被呼者番号へのルーティングのステップとを含む。
【００２８】
−  サービスへの接続（ステップ７０）：
移動電話機４のユーザが、移動電話機のキー４０（図１）の１つを押すと、サーバ２に関連付けられたサービスを表すコードＳが、ログオン段階中に以前にネットワークから送信された許可コードＡと、押されたキー４０に関連付けられたコードＱ、したがって被呼者番号と共に、ネットワーク１に無線で送信される。
【００２９】
−  被呼者番号へのルーティング：
ネットワークは、ルーティングを実行するために、以下の一連の比較を実行する。第１に（ステップ７１）、ネットワークは、受信した許可コードＡを用いて、サーバ２のデータベースが移動電話機４に対応する私設ディレクトリを含むか否かを判定する。含まない場合、呼を設定することができない。対応するディレクトリが見つかった場合、ネットワークは、受信したコードＱを用いて、押したキー４０に対応する電話番号がデータベースの私設ディレクトリ内にあるか否かを判定する（ステップ７２）。電話番号がない場合、呼設定は拒否される。電話番号が見つかった場合、呼は設定できる（ステップ７３）。
【００３０】
本発明の好ましい実施形態では、上記プロセスは、加入者３０の口座に課金情報を送信する段階をさらに含む。図４を参照すると、この段階は、簡単化された移動電話機４からの各発呼の後に、サービスを初期化した加入者の識別子を抽出してすべての発呼のリストを作成し（ステップ７４）、次いで例えば月ごとに加入者３０の口座に課金する（ステップ７５）ステップを含むことができる。
【００３１】
以上の説明はすべて、簡単化された移動電話機４が、ネットワークにログオンして限定された番号の組に発信呼を発呼できるように、ネットワーク１にアクセスすることを許可する処理に関係する。
【００３２】
簡単化された移動電話機４が呼び出される可能性について考察する。移動電話機４がネットワークにログオンすると、ネットワークは移動電話機４の位置を認識しているので、このことは可能である。
【００３３】
本発明の第１の実施形態では、簡単化された移動電話機４は、着信呼を直接受信することはできず、移動電話機４から発呼できる電話番号の限定された組の１つを有する人物が移動電話機４にアクセスしたいという表示だけを受信できる。この場合、簡単化された移動電話機４のユーザに連絡したい人物は、サーバ２によって提供されるサービスに接続し、簡単化された移動電話機４を表すＩＭＥＩを入力する。次いで、ネットワーク１は、移動電話機４がネットワークのどのセルに最後にログオンしたか（該当する場合）を判定できる。セルが見つかると、ネットワーク１は、発呼者に関係するデータを含むサービスメッセージ、すなわちＳＭＳ−ＰＰ（ショートメッセージサービスポイントツーポイント）メッセージを、簡単化された移動電話機４に送信する。簡単化された移動電話機４が、ディスプレイ画面を有する場合、この種のメッセージを受信すると、移動電話機４のユーザに連絡しようとしている人物に電話するように、移動電話機４のユーザに伝えるメッセージを表示できる。ディスプレイ画面がない場合、発呼者の電話番号に関連付けられたキー４０を点滅させることができる。この後者の変形形態は、子供にとって極めて実用的で、点滅しているキーを押すだけで連絡を取ろうとしている相手を呼び出すことができる。
【００３４】
本発明の好ましい実施形態によれば、簡単化された移動電話機４は、ネットワーク１から直接着信呼を受信できる。この場合の主な問題は、ＧＳＭネットワークなどのセルラ移動無線ネットワークが、専用のページングチャネル（ＰＣＨ）で、ＩＭＳＩ（国際移動体加入者識別）を含む特定のメッセージを送信することでしか移動電話機に呼を送信できないということである。簡単化された移動電話機４は、加入者識別モジュールを有しないので、ＩＭＳＩを有しない。この問題の解決策での第１の試みは、簡単化された移動電話機の製造中またはその販売時点で、実際の加入者のＩＭＳＩに対応しないコードのリストから選択したダミーのＩＭＳＩコードを使用することであろう。生成しなければならないダミーコードの番号に関するそのような解決策の限界は明らかである。したがって、ページングメッセージの構造を変えたり、過剰な数のダミーＩＭＳＩコードを生成する必要がないように、呼を移動電話機４に向ける際の問題の別の解決策を見つけることが必要である。
【００３５】
本発明によって提案される第１の解決策は、次の処理からなる。
−  ＩＭＳＩコードと同じ構造を有するｎ個の特定のコード（例えば１０個のコード）からなるリストを電話機の製造中に簡単化された移動電話機４のメモリ内に記憶する処理。このリストは、ネットワーク１に知られており、ネットワーク１にアクセスできるすべての簡単化された移動電話機について同一である。
−  リストからのｍ個のコード（例えば４つのコード）の特定の一意的なシーケンスを、移動電話機４に割り当てる処理（ｍ＜ｎ）。
【００３６】
簡単化された移動電話機４に呼をルーティングするために、ネットワークがしなければならない処理は、簡単化された移動電話機４が位置するセルのＰＣＨ上で、各々が簡単化された移動電話機４に割り当てられたシーケンスに従ってＩＭＳＩコードを搬送するｍ個の連続するメッセージ（この場合、ｍ＝４）からなる識別子を送信することである。次いで、簡単化された移動電話機４は、それ自体のシーケンスを認識して呼に応答できる。この解決策で、ネットワークは、各々がダミーコードの同じリストに基づく専用の一意的なシーケンスを有するｎＣｍ個の別々の簡単化された電話機に呼をルーティングできる。
【００３７】
本発明によって提案される第２の解決策は、簡単化された移動電話機の製造中またはその販売時点で、ダミーＩＭＳＩコードを割り振ることである。このコードは、異なる簡単化された移動電話機で共通化できる。次いで、ダミーＩＭＳＩコードとＩＭＥＩコードの組合せからなる識別子が、呼メッセージ内で使用される。第２の解決策は、第１の解決策よりも信頼性が高く、呼をより迅速にルーティングできる。
【００３８】
第３の解決策は、呼メッセージ内で、直接端末４のＩＭＥＩ番号を使用することである。この解決策はサービスを利用するために、追加のデータを一切必要としないという利点を有する。
【図面の簡単な説明】
【図１】本発明によるセルラ移動体無線システムの様々な構成要素を示す図である。
【図２】本発明による方法の一実施形態での初期化段階の各ステップを示す図である。
【図３】本発明による方法の一実施形態での簡単化された電話機のログオン段階の各ステップを示す図である。
【図４】本発明による方法の一実施形態での簡単化された移動電話機の発信呼の発呼段階の各ステップと、課金段階の各ステップを示す図である。
【符号の説明】
１  ネットワーク
２  サーバ
３  標準の移動電話機
４  簡単化された移動電話機
１０  基地局
１１  移動局制御装置
１２  移動体交換局
１３  ホームロケーションレジスタ
１４  ビジタロケーションレジスタ
３０  加入者、加入者識別モジュール
４０  キー
【図１】
0004495833.tif 000002
【図２】
0004495833.tif 000003
【図３】
0004495833.tif 000004
【図４】
0004495833.tif 000005